(57)【要約】【課題】  本発明の実施形態は、使用者が最適な銀イオン濃度の湯水を選択的に利用できる湯水供給装置を提供することである。【解決手段】  湯水供給装置において、湯水の供給路に設けられた銀製の電極を有し、湯水の供給時に動作して湯水中に銀イオンを発生させる銀イオン発生器と、所定量の湯水に含まれる銀イオンの濃度を設定する設定手段と、設定手段で設定された銀イオンの濃度に基づいて銀イオン発生器の動作を制御する制御手段を有する。【選択図】図５
2012088020.tif 000002
【特許請求の範囲】
【請求項１】
湯水の供給路に設けられた銀製の電極を有し、湯水の供給時に動作して湯水中に銀イオンを発生させる銀イオン発生器と、
所定量の湯水に含まれる銀イオンの濃度を設定する設定手段と、
前記設定手段で設定された銀イオンの濃度に基づいて前記銀イオン発生器の動作を制御する制御手段を
有する湯水供給装置。
【請求項２】
前記銀イオン発生器の動作時間を計時する計時手段と、
前記銀イオン発生器を通過する湯水の流量を計測する流量計側手段を、
備え、
前記制御手段は前記銀イオン発生器の動作時間と、前記流量計側手段の計測する流量によって前記銀イオン発生器の動作を制御する、
ことを特徴とする請求項１に記載の湯水供給装置。
【請求項３】
前記設定手段は、設定される銀イオンの濃度と、効能及び注意事項のうちの少なくとも一つを報知する報知手段を備える請求項１又は２に記載の湯水供給装置。
【発明の詳細な説明】
【技術分野】
【０００１】
本発明の実施形態は、湯水供給装置に係る。
【背景技術】
【０００２】
湯水を使用場所へ供給する湯水供給装置として、貯湯タンクを備え、その貯湯タンク内の湯を使用場所である浴槽へ供給するとともに、その給湯管に銀イオン発生器を設け
た湯水供給装置が知られている。
銀イオン発生器は、給湯管内で相対向する一対の銀製の電極を有し、これら電極の相互間に電圧が印加されることにより両電極間に湯を介して電流が流れ、これに伴い、一方の銀電極から他方の銀電極へと移動する銀イオンを発する。この銀イオンが湯と共に浴槽へ供給される。この銀イオンは、高い抗菌力を発揮する。また、湯に含まれる銀イオンの濃度によって抗菌力が異なる。
【先行技術文献】
【特許文献】
【０００３】
【特許文献１】特開２００６−１４５１１３号公報
【発明の概要】
【発明が解決しようとする課題】
【０００４】
一般に、銀イオン発生器を備えた湯水供給装置は、湯張り後の湯に含まれる銀イオンの濃度がある一定の濃度となるように銀イオン発生器を制御する制御手段を有している。
ここで、湯に含まれる銀イオンの濃度が高ければ高い程、湯水の抗菌力は高いことが知られており、一般的な湯水供給装置の制御手段は、湯水が高い抗菌力を発揮する銀イオン濃度となるように銀イオン発生器を制御するように設定されている。
しかし、高い抗菌力を発揮する銀イオン濃度とする場合、銀イオン発生器の銀イオン発生源の消耗が激しく、使用者がそれほど高い銀イオン濃度を必要としない場合でも銀イオン発生器を消耗してしまう。これにより、使用者は銀イオン発生器の銀イオン発生源を頻繁に交換することになり、無駄な交換費用が必要となる。
この発明の実施形態は、上記の事情を考慮したもので、その目的は、使用者が最適な銀イオン濃度の湯水を選択的に利用できる湯水供給装置を提供することである。
【課題を解決するための手段】
【０００５】
本発明の実施形態の湯水供給装置においては、湯水の供給路に設けられた銀製の電極を有し、湯水の供給時に動作して湯水中に銀イオンを発生させる銀イオン発生器と、所定量の湯水に含まれる銀イオンの濃度を設定する設定手段と、設定手段で設定された銀イオンの濃度に基づいて銀イオン発生器の動作を制御する制御手段を有する。
【図面の簡単な説明】
【０００６】
【図１】本発明の実施形態に係る湯水供給装置の構成を示す図。
【図２】本発明の実施形態に係る湯水供給装置の貯湯タンク及びその周辺部の構成を示す斜視図。
【図３】本発明の実施形態に係る湯水供給装置の制御部の要部を示すブロック図。
【図４】本発明の第２の実施形態に係る銀イオン濃度が０．０５ｐｐｍに設定された場合の銀イオン発生器の動作時間を示す図。
【図５】本発明の第２の実施形態に係る湯水供給装置の作用を説明するフローチャート。
【図６】本発明の第２の実施形態に係る銀イオン濃度が０．０５ｐｐｍに設定された場合の銀イオン発生器のその他の動作時間を示す図。
【図７】本発明の第２の実施形態に係る銀イオン濃度が０．０２５ｐｐｍに設定された場合の銀イオン発生器の動作時間を示す図。
【図８】本発明の第２の実施形態に係る銀イオン濃度が０．０１２５ｐｐｍに設定された場合の銀イオン発生器の動作時間を示す図。
【図９】本発明の実施形態に係る湯水供給装置を操作する操作器の表示部の表示例を表す図。
【発明を実施するための形態】
【０００７】
以下、この発明の実施形態について図面を参照しながら説明する。  
図１において、１は給湯ユニットで、給水管２を介して給水源（図示しない）に接続される。この給水管２の水がその給水管２上の減圧弁３で減圧されて給水管４に導かれ、その給水管４の水が逆止弁５を介して貯湯タンク１０の下部に導かれる。また、減圧弁３で減圧された水の一部が給水管６およびその給水管６上の逆止弁７を介して混合栓１２に導かれる。
【０００８】
貯湯タンク１０の上部に給湯管１１を介して混合栓１２が接続され、その混合栓１２の出口が給湯管（湯の供給路）１３、その給湯管１３上のホッパ１４、及び銀イオン発生器５０、及び流量を計測する流量計側手段である流量計３０を介して浴槽２０に接続される。
流量計３０は給湯管１３及び銀イオン発生器５を通過する湯水の流量を計測するための流量計測手段である。
【０００９】
給湯管１３における銀イオン発生器５０の配設箇所より下流側位置に、湯水管１５およびその湯水管１５上の循環ポンプ１６を介して風呂熱交換器１７の第１流路の入口が接続され、その第１流路の出口が湯水管１８を介して浴槽２０に接続される。すなわち、浴槽２０につながる給湯管１３の一部、湯水管１５、循環ポンプ１６、風呂熱交換器１７の第１流路、および湯水管１８により、浴槽２０内の湯水を保温（追い炊きともいう）するための保温流路が形成される。
【００１０】
上記給湯管１１に、湯水管３１およびその湯水管３１上の逆止弁３２を介して風呂熱交換器１７の第２流路の入口が接続され、その第２流路の出口が湯水管３３およびその湯水管３３上の循環ポンプ３４を介して貯湯タンク１０の上部に接続される。
【００１１】
上記給湯管１１に、給湯管３５およびその給湯管３５上の逆止弁３６を介して混合栓３７が接続され、その混合栓３７の出口が給湯管３８を介して使用場所である台所、洗面所、風呂場シャワー等に分岐接続される。混合栓３７には上記給水管２における減圧弁３を経た水が導かれており、その水が給湯管３５からの湯水に混合される。
【００１２】
貯湯タンク１０の下部に湯水管４１およびその湯水管４１上の循環ポンプ４２を介して熱源ユニット８０の水熱交換器８２の入口が接続され、その水熱交換器８２の出口が湯水管４３を介して上記湯水管３３における循環ポンプ３４の下流側位置に接続される。
【００１３】
上記ホッパ１４は、開閉弁１４ａ，１４ｂ、逆止弁１４ｃ，１４ｅ、およびフローセンサ（流れ検知手段）１４ｄを有する。フローセンサ（流れ検知手段）１４ｄは、給湯管１３における湯水の流れを検知する。
【００１４】
熱源ユニット８０は、図１の破線矢印で示すように、圧縮機８１から吐出される冷媒を上記水熱交換器８２、膨張弁８３、および空気熱交換器８４を介して圧縮機８１に戻すヒートポンプ式冷凍サイクルを有するとともに、熱源ユニット制御部９０を有し、外気から熱を汲み上げ、その汲み上げた熱を水熱交換器８２の湯水（湯水管４１から導かれる湯水）に与える。
【００１５】
また、給湯ユニット１に給湯ユニット制御部６０が設けられ、その給湯ユニット制御部６０にリモートコントロール式の操作器（以下、リモコンという）７０および上記熱源ユニット８０の熱源ユニット制御部９０が接続される。リモコン７０は、浴槽２０の近傍に設置され、給湯ユニット１および熱源ユニット８０に対する運転条件を設定することができる。また、リモコン７０には液晶表示部７１と、使用者が銀イオン濃度を設定するための設定手段として操作部７２が設けられている。
【００１６】
上記貯湯タンク１０およびその周辺部の構成を図２に示す。上記給湯ユニット制御部６０は貯湯タンク１０の側面部に取付けられている。
【００１７】
給湯ユニット制御部６０の要部を図３に示す。
給湯ユニット制御部６０は、商用交流電源ＡＣに接続された電源端子６１、この電源端子６１に通電路６２およびその通電路６２上のリレー接点６５ａを介して接続された駆動回路６３、主制御部６４、この主制御部６４に接続されたリレー６５、主制御部６４に接続されたタイマ６６を有する。そして、主制御部６４に、上記リモコン７０および熱源ユニット制御部９０が接続される。
【００１８】
上記駆動回路６３は、上記銀イオン発生器５０を駆動する。銀イオン発生器５０は、給湯管１３内に存して相対向する一対の銀製の電極５１，５２を有し、これら電極５１，５２の相互間に駆動回路６３から電圧が印加されることにより動作して両電極５１，５２間に湯を介して電流を流し、これに伴い、一方の銀電極５１から他方の銀電極５２へと移動しようとする銀（Ａｇ）イオンを発生する。この銀イオンが給湯管１３内の湯と共に浴槽２０へ供給される。なお、給湯管１３において、銀イオン発生器５０の配設位置から少なくとも湯水管１５の接続部位までの区間には、漏電防止のために絶縁処理が施された、例えばアルミ三層管が使用される。
【００１９】
主制御部６４は、主要な機能として次の（１）〜（７）の手段を有する。  
（１）予め定められている時間帯、たとえば深夜電力時間帯において、熱源ユニット８０の熱源ユニット制御部９０に運転オンを指令し、かつ循環ポンプ４２を運転オンする制御手段。
【００２０】
（２）浴槽２０への給湯（湯張り・たし湯を含む）がリモコン７０の操作により指示されると、ホッパ１４の開閉弁１４ａ，１４ｂを開放する開放制御手段。
【００２１】
（３）銀イオン発生器５０の動作時間Ｔをタイマ６６により計時する計時手段。
【００２２】
（４）操作部７２が操作されることで、銀イオン濃度が設定され、設定された湯張り量Ｌａに対して設定された銀イオンの濃度に基づいて銀イオン発生器動作時間Ｔｓを設定する設定制御手段。
【００２３】
（５）湯張り運転を開始した直後に、リレー６５を付勢してそのリレー接点６５ａを閉成し、これにより銀イオン発生器５０に通電して銀イオン発生器５０を動作させ、設定された銀イオン濃度に応じた銀イオン発生器総動作時間Ｔａを超えると、リレー６５を消勢してそのリレー接点６５ａを開放し、これにより銀イオン発生器５０への通電を遮断して銀イオン発生器５０の動作を停止する通電制御手段。
【００２４】
（６）流量計３０を通過した湯水の運転開始からの積算流量Ｌを検知（積算）し、積算流量Ｌが設定された湯張り量Ｌａに達するとホッパ１４の開閉弁１４ａ，１４ｂを閉鎖する閉鎖制御手段。
【００２５】
（７）上記操作部７２が操作されることで設定される銀イオン濃度と、その銀イオン濃度による効能及び注意事項をリモコン７０の液晶表示部７１に表示し報知する報知手段。
【００２６】
次に、銀イオン発生器５０の作用について説明する。
本実施形態の銀イオン発生器５０は、約３０ｌの湯水に対して1分間動作すると銀イオン濃度が０．０５ｐｐｍとなるように電流値が設定されている。なお、電流値によって動作時間Ｔと銀イオン濃度の関係は変化する。
表１に、浴槽２０の湯張り量に対する銀イオン発生器５０の総動作時間Ｔａと銀イオン濃度との関係を示す。
【表１】
2012088020.tif 000003
【００２７】
使用者がリモコン７０に設けられた操作部７２を操作することにより、表１に示すように銀イオン発生器５０の動作時間が設定される。湯水の銀イオン濃度は、０．０５ｐｐｍ、０．０２５ｐｐｍ、０．０１２５ｐｐｍの３段階で設定することができる。
【００２８】
ここで、表1に示される銀イオン発生器５０の動作時間は、設定された湯張り量に対する総動作時間Ｔａである。例えば、湯張り量が１３０ｌの場合、銀イオン発生器５０の総動作時間Ｔａを４分間とすると０．０５ｐｐｍの湯水となり、総動作時間Ｔａを２分間とすると０．０２５ｐｐｍとなり、総動作時間Ｔａを１分間とすると０．０１２５ｐｐｍとなる。
【００２９】
表１の銀イオン濃度の湯水を得るための湯張り運転について説明する。
深夜電力時間帯において、熱源ユニット８０の圧縮機８１が運転オンし、その圧縮機８１から吐出される冷媒が水熱交換器８２、膨張弁８３、空気熱交換器８４を通って循環する。これに伴い、循環ポンプ４２が運転オンし、貯湯タンク１０の下部の湯水が湯水管４１を通って水熱交換器８２に流入し加熱される。水熱交換器８２から流出する湯は湯水管４３および湯水管３３を通って貯湯タンク１０の上部に供給される。こうして、貯湯タンク１０に湯が貯えられる。
【００３０】
そして、リモコン７０の操作により湯張り運転が開始されると、ホッパ１４の開閉弁１４ａ，１４ｂが開放され、貯湯タンク１０内の湯が給湯管１１、混合栓１２、給湯管１３、および銀イオン発生器５０を通って浴槽２０に供給され湯張り運転が行われる。
【００３１】
ここで、銀イオン発生器５０を、湯張り運転開始時から設定された湯張り量Ｌａに対する銀イオン発生器総動作時間Ｔａの期間だけ作動させ、その後、銀イオン発生器５０を停止させて湯張り運転が継続される。そして、積算流量Ｌが設定された湯張り量Ｌａに達するまで湯張りを行う。
これにより、湯張り運転終了後には浴槽２０内に設定された銀イオン濃度の湯水が湯張りされる。
【００３２】
これにより、銀イオン発生器５０に通電される電流値を変更することなく、銀イオン発生器５０の動作時間を変更することで浴槽２０内の湯水の銀イオン濃度を任意に設定することができる。
【００３３】
次に、第２の実施形態について図４ないし図８を用いて説明する。
【００３４】
第２の実施形態において、図１ないし図３に示す構成は、第１の実施形態と同じである。主制御部６４は、第１の湯張り形態と同一の機能（１）〜（４）、（６）、（７）の手段を有しており、上記（５）の制御手段の代わりに以下の（５´）の制御手段を備えている。
【００３５】
（５´）流量計測手段である流量計３０により、湯水の積算流量Ｌが所定量に達したことを検知する度に、リレー６５を付勢してそのリレー接点６５ａを閉成し、これにより銀イオン発生器５０に通電して銀イオン発生器５０を動作させ、湯張り量に応じた銀イオン発生器の動作時間Ｔｓを超えると、リレー６５を消勢してそのリレー接点６５ａを開放し、これにより銀イオン発生器５０への通電を遮断して銀イオン発生器５０の動作を停止させることを繰り返す通電制御手段。
【００３６】
ここで、具体的には動作時間Ｔｓは３０ｌ給湯するごとに銀イオン発生器５０を動作させる時間であり、浴槽２０内に設定された湯張り量Ｌａの湯水が貯留される期間内に、銀イオン発生器５０が動作時間Ｔｓで繰り返し動作し、トータルとしての銀イオン発生器５０の動作時間が総作動時間Ｔａと略一致するものである。
【００３７】
例えば、湯張り量１３０ｌの場合、図４と図６ないし図８のグラフに示すようになる。即ち、図４に示すように濃度０．０５ｐｐｍの場合では動作時間Ｔｓを１分間とし、３０ｌ給湯される毎に銀イオン発生器５０を１分間動作させ、１３０ｌが給湯されるまでの間に総動作時間Ｔａである４分程度となる。
【００３８】
例えば、図５のフローチャートにより、リモコン７０の操作によって湯張り量が１３０ｌ、設定された銀イオン濃度が０．０５ｐｐｍである場合の動作を説明する。
【００３９】
浴槽２０への給湯（湯張り）がリモコン７０の操作により指示されると、ｎ＝１がセットされ（ステップ１０１）、ホッパ１４の開閉弁１４ａ，１４ｂが開放され、貯湯タンク１０内の湯が給湯管１１、混合栓１２、給湯管１３、および銀イオン発生器５０を通って浴槽２０に供給される。このとき、湯の流れがフローセンサ１４ｄで検知され、流量計３０を通過した湯水の積算流量Ｌの計測を開始する（ステップ１０２）。
【００４０】
次に、積算流量Ｌが３０ｌ×ｎに達したか否かを判定する（ステップ１０３）。ここで、初回はｎ＝１なので、ステップ１０３は３０ｌに達したか否かの判定となり、以後、ｎの値の増加に応じて、積算流量Ｌの判定値が変わる。
【００４１】
積算流量Ｌが３０ｌ×ｎに達すると（ステップ１０３のＹｅｓ）、３０ｌ×ｎに達したと判定された積算流量Ｌが、目標の湯張り量１３０ｌ（Ｌａ）を超えているか否かを判定し（ステップ１０４）、超えていない場合は（ステップ１０４のＮｏ）、銀イオン発生器５０の動作を開始する（ステップ１０６）。即ち、リレー６５が付勢されてそのリレー接点６５ａが閉成され、この閉成により、駆動回路６３が動作して銀イオン発生器５０が動作される。
【００４２】
また、銀イオン発生器５０の動作と同時に計時手段であるタイマ６６が銀イオン発生器の動作時間Ｔｓの計時を開始する（ステップ１０６）。
【００４３】
ステップ１０７において銀イオン発生器５０の動作時間Ｔｓが１分（Ｔｓａ）を経過したか否かを判定する。
動作時間Ｔｓが１分未満の場合は（ステップ１０７のＮｏ）、ステップ１０４へ戻り、銀イオン発生器５０の動作を継続する。
【００４４】
動作時間Ｔｓが所定時間である１分（Ｔｓａ）を経過すると（ステップ１０７のＹｅｓ）、銀イオン発生器の動作を停止する（ステップ１０８）。即ち、リレー６５が消勢されてそのリレー接点６５ａが開放される。この開放により、駆動回路６３および銀イオン発生器５０の動作が停止する。
【００４５】
その後、ｎ＝ｎ＋１がセットされ（ステップ１０９）、ステップ１０３へ戻り、積算流量Ｌが次の値（ｎ＋１）の処理へ移行する。即ち、積算流量Ｌが６０ｌ（３０ｌ×２）に達し（ステップ１０３のＹｅｓ）、積算流量Ｌが設定された湯張り量１３０ｌ（Ｌａ）を超えていない場合（ステップ１０４のＮｏ）、銀イオン発生器５０を再び動作させタイマ６６により銀イオン発生器５０の動作時間Ｔｓの計測を再度開始する（ステップ１０６）。動作時間Ｔｓがさらに１分（Ｔｓａ）経過するまで積算流量Ｌが１３０ｌ（Ｌａ）に達していないことを確認しつつ（ステップ１０４のＮｏ）銀イオン発生器５０を動作し続ける（ステップ１０７のＮｏ）。そして、動作時間Ｔｓが１分（Ｔｓａ）を超えると（ステップ１０７のＹｅｓ）、タイマ６６による計時を終了し、銀イオン発生器５０の動作を終了する（ステップ１０８）。そして、積算流量Ｌが更に次の値（ｎ＝ｎ＋１）の処理へ移行する（ステップ１０９）。
【００４６】
上記の処理が、積算流量Ｌが設定された湯張り量１３０ｌ（Ｌａ）に達するまで繰り返される。
【００４７】
流量計３０の計測により積算流量Ｌが設定された湯張り量１３０ｌ（Ｌａ）に達すると（ステップ１０４のＹｅｓ）、ホッパ１４の開閉弁１４ａ，１４ｂが閉成されて浴槽２０への給湯が停止される（ステップ１０５）。また、図６のグラフに示すように、銀イオン発生器の動作時間Ｔが目標に到達していなくても銀イオン発生器５０の動作が停止される。
【００４８】
また、使用者がリモコン７０を操作することで、湯張り運転が強制的に終了される場合でも、銀イオン発生器５０の動作が停止される。
【００４９】
ここで、上記したように銀イオン発生器５０の動作時間Ｔｓａは、銀イオン濃度が０．０５ｐｐｍの湯水を得る場合には１分間であるが、図７に示すように銀イオン濃度が０．０２５ｐｐｍの場合には、３０秒とし、図８に示すように銀イオン濃度が０．０１２５ｐｐｍの場合は１５秒が設定される。
【００５０】
なお、湯張り量Ｌａは、リモコン７０の操作により設定される。
【００５１】
ここで、上述の本実施形態では設定された銀イオン濃度が０．０５ｐｐｍの場合に、積算流量Ｌが３０ｌ増加する毎に銀イオン発生器５０をＴｓａ分間動作させたが、例えば、積算流量Ｌが１５ｌ増加する毎に銀イオン発生器５０をＴｓｂ分間動作させても良い。この場合、銀イオン発生器５０の動作時間ＴｓｂをＴｓａ／２とすればよい。
【００５２】
なお、湯張り量が設定されず図示しない水位センサが目標水位を検知する場合においては、上記図５のフローチャートのステップ１０４を、水位センサの検知した値が、目標水位を超えたか否かを判定すれように変更すればよく、他のステップは図５のフローチャートと同一でよい。
【００５３】
以上のとおり、湯張り動作によって、浴槽２０に供給される湯水に銀イオンが加えられる。この銀イオンにより、浴槽２０に供給される湯の抗菌力を高め、雑菌の増殖を抑えることができる。
【００５４】
第２の実施形態のように、銀イオン発生器５０を給湯が行われている期間内に所定流量毎に分散させて動作させることで、湯張り運転を途中で中止する場合でも目標とする濃度により近い銀イオン濃度の湯水を得ることができ、きめ細かい銀イオンの濃度管理を行うことができる。
【００５５】
なお、第１、第２の実施形態のいずれにおいても、浴槽２０内の湯の保温がリモコン７０の操作により指示されると、循環ポンプ１６，３４が運転され、浴槽２０内の湯が給湯管１３、湯水管１５、風呂熱交換器１７の第１流路、湯水管１８を通って循環するとともに、貯湯タンク１０内の湯が給湯管１１、湯水管３１、風呂熱交換器１７の第２流路、湯水管３３を通って循環する。このとき、風呂熱交換器１７の第２流路を通る湯の熱が、第１流路を通る浴槽循環の湯に移行する。こうして、浴槽２０内の湯が保温される。
【００５６】
以上、述べたように、リモコン７０の操作により使用者は任意に銀イオン濃度を設定することができ、使用状況に応じて必要な銀イオン濃度の湯水を得る事ができる。
【００５７】
これにより、高濃度（０．０５ｐｐｍ）の銀イオン湯水の使用により、浴槽における黒ずみの発生を防止し、銀イオン発生器の消耗を抑えつつ、適度な抗菌力を得たい場合には、使用者は銀イオン発生器を低濃度（０．０２５ｐｐｍ、０．０１２５ｐｐｍ）で動作するように設定することができる。また、白癬菌に対する高い抗菌性を発揮する０．０５ｐｐｍ以上の銀イオン濃度の湯水が必要な場合には使用者は銀イオン発生器が高濃度（０．０５ｐｐｍ）で動作するように設定することができる。
【００５８】
図９（ａ）にリモコン７０の全体図を示し、図９（ｂ）に銀イオンの濃度と、その濃度における効能及び注意事項などを表示して報知する報知手段である液晶表示部７１の一部拡大図を示す。
使用者が銀イオンの濃度をリモコン７０の操作部７２を操作し設定すると、液晶表示部７１には設定されている銀イオン濃度や、設定された銀イオン濃度での効能及び注意事項が表示され、使用者への情報提供が行われる。この情報を元に使用者は必要とする銀イオン濃度を任意に選定することができ、個々の使用状況に応じて銀イオン濃度を選択することができる。
【００５９】
ここで、液晶表示部７１に表示される銀イオン濃度は、０．０５ｐｐｍなどの数値による表示に限定されるものではなく、高め、低めなどの程度を表す言葉による表示でも良い。
また、銀イオン濃度と効能及び注意事項などの表示は、液晶表示部７１の表示の大きさや見易さを考慮して交互に表示されてもよい。
【００６０】
上述した実施形態では、銀イオンの濃度を設定する操作部７１と報知する報知手段である液晶表示部７１を、湯張り運転を操作・設定するリモートコントロール式の操作器であるリモコン７０に設けたが、独立した銀イオン設定用のリモコン装置に設けてもよい。
また、報知手段は液晶表示部７１のように視覚的に報知するものに限定されず、スピーカーなどのように音声によって聴覚的に報知するものでもよい。
【００６１】
また、上記実施形態では、浴槽２０への給湯経路に銀イオン発生器５０を設けた場合を例に説明したが、台所、洗面所等への給湯経路に銀イオン発生器５０を設ける場合にも、同様に実施可能である。湯だけでなく、水道水の供給路に銀イオン発生器５０を設けて水道水を抗菌する場合にも、同様に実施可能である。
【００６２】
その他、この発明は、上記実施形態そのままに限定されるものではなく、実施段階ではその要旨を逸脱しない範囲で構成要素を変形して具体化できる。また、上記実施形態に開示されている複数の構成要素を適宜組み合わせることにより種々の発明を形成できる。全ての構成要素からいくつかの構成要素を削除してもよい。
【符号の説明】
【００６３】
１…給湯ユニット、２，４，６…給水管、３…減圧弁、１０…貯湯タンク、１１，１３，３５，３８…給湯管、１２，３７…混合栓、１４…ホッパ、１４ａ，１４ｂ…開閉弁、１４ｄ…フローセンサ（流れ検知手段）、３０…流量計、１５，１８，３３，４１，４３…湯水管、１６，３４，４２…循環ポンプ、１７…風呂熱交換器、５０…銀イオン発生器、５１，５２…銀製の電極、６０…給湯ユニット制御部、６４…主制御部、６５…リレー、６６…タイマ、８０…熱源ユニット、８１…圧縮機、８２…水熱交換器、８４…空気熱交換器、７０…リモコン、７１…液晶表示部、９０…熱源ユニット制御部
【図１】
2012088020.tif 000004
【図２】
2012088020.tif 000005
【図３】
2012088020.tif 000006
【図４】
2012088020.tif 000007
【図５】
2012088020.tif 000008
【図６】
2012088020.tif 000009
【図７】
2012088020.tif 000010
【図８】
2012088020.tif 000011
【図９】
2012088020.tif 000012